(57)【特許請求の範囲】
【請求項１】
外装カバーと、
前記外装カバーに回動可能に組み付けられる回動操作部材と、
前記回動操作部材の回動によって前記外装カバーに対する位置が変化しないボスに嵌め込まれるコイル部、及び前記コイル部から延出して前記回動操作部材に設けられた掛止部に対して前記回動操作部材の回動方向に挟むように掛止される一対の先端部を有し、前記回動操作部材を回動位置から初期位置へ戻すための力を発生させるトーションばねと、
前記トーションばねの前記一対の先端部に挟まれる位置に配置され、前記回動操作部材を初期位置に位置決めする位置決め部と、
前記位置決め部により前記回動操作部材が初期位置に位置決めされた際に、前記トーションばねの前記一対の先端部に挟み込まれて弾性変形する弾性部材と、を備え、
前記トーションばねは、前記一対の先端部の間の幅を広げることで前記コイル部の径が大きくなるばねであり、
前記弾性部材は、前記位置決め部よりも前記コイル部に近い位置に配置され、前記回動操作部材が回動位置にあるときに前記トーションばねの前記一対の先端部のいずれか一方と当接していることを特徴とする電子機器。
【請求項２】
前記トーションばねの前記一対の先端部を前記回動操作部材の前記掛止部に掛止させることで、前記トーションばねと前記回動操作部材とを電気的に導通させることを特徴とする請求項１に記載の電子機器。
【請求項３】
前記回動操作部材を保持して前記回動操作部材と一体に回動するホルダをさらに有し、前記ホルダは、樹脂部材で形成されることを特徴とする請求項１または２に記載の電子機器。
【請求項４】
前記トーションばねの前記一対の先端部は、前記回動操作部材が回動位置から前記初期位置へ戻る際に、前記位置決め部よりも先に両方が前記弾性部材に当接し、前記弾性部材を弾性変形させてから両方が前記位置決め部に当接することを特徴とする請求項１乃至３のいずれか一項に記載の電子機器。
【発明の詳細な説明】
【技術分野】
【０００１】
本発明は、電子機器に関するものであり、特に所定の角度範囲内で回動操作が可能な回動操作部材を有するデジタルカメラ等の電子機器に関する。
【背景技術】
【０００２】
デジタルカメラ等の電子機器では、図９に示すように、回動操作によりズーム機構を作動させるズームレバー２０６の中央部に、レリーズボタン２０５を配置したものがある。
【０００３】
図１０は、ズームレバー２０６等の取付部の構造を示す斜視図である。図１０において、ホルダ２５６は、金属等の導電性部材で形成され、ズームレバー２０６にビス等で固定されて、ズームレバー２０６と一体に回動する。トーションばね２５４は、コイル部２５４ａが外装カバー２２０に設けられたボス２２０ａに嵌め込まれ、一対の先端部２５４ｂ，２５４ｃがホルダ２５６に設けられたＴ字引っ掛け部２５６ａに掛止される。
【０００４】
図１１（ａ）はズームレバー２０６が初期位置あるときの状態を示す図、図１１（ｂ）はズームレバー２０６が回動位置にあるときの状態を示す図である。なお、図１１（ｂ）の矢印Ａ方向は、ズームアウトの回動操作方向、矢印Ａの反対方向は、ズームインの回動操作方向である。
【０００５】
例えば、ズームアウト時にズームレバー２０６を図の矢印Ａ方向へ回動操作すると、ズームレバー２０６と一体に回動するホルダ２５６のＴ字引っ掛け部２５６ａによりトーションばね２５４の先端部２５４ｃが矢印Ａ方向に引っ張られる。
【０００６】
この状態でズームレバー２０６から指を離すと、トーションばね２５４の先端部２５４ｃがばね力により外装カバー２２０に設けられた位置決めリブ２２０ｂまで戻り、ズームレバー２０６が初期位置に位置決めされる。なお、トーションばね２５４は、チャージすることでコイル部２５４ａの径が小さくなる巻き閉まるばねとされ、チャージ時の動作を阻害しないように、初期位置では、コイル部２５４ａとボス２２０ａとの間に、比較的大きなすき間が設けられる。
【０００７】
また、ズームレバー２０６は、導電性部材で形成されており、ズームレバー２０６、ホルダ２５６、及びトーションばね２５４を電気的に導通させて、外装で発生した静電気を内部のグラントパターンへ逃がす構造が知られている（特許文献１）。
【先行技術文献】
【特許文献】
【０００８】
【特許文献１】特開２００８−２０３６３２号公報
【発明の概要】
【発明が解決しようとする課題】
【０００９】
しかし、上記従来の技術では、 ズームレバー２０６がトーションばね２５４のばね力により回動位置から初期位置に戻る際、トーションばね２５４の先端部２５４ｃが位置決めリブ２２０ｂに衝突して衝突音が発生する。
【００１０】
また、上述したように、トーションばね２５４は、巻き閉まるばねとされて、初期位置でコイル部２５４ａとボス２２０ａとの間に比較的大きなすき間が設けられる。このため、トーションばね２５４の先端部２５４ｃが位置決めリブ２２０ｂに戻る際に、コイル部２５４ａが振動し、振動音が発生する。
【００１１】
そのため、例えば、動画撮影中にズーム操作が可能な撮像装置の場合、ズームレバー２０６の衝突音や振動音が録音されてしまうという問題もある。
【００１２】
そこで、本発明は、回動操作部材の回動操作によって発生する衝突音や振動音を軽減することができる電子機器を提供することを目的とする。
【課題を解決するための手段】
【００１３】
上記目的を達成するために、本発明の電子機器は、外装カバーと、前記外装カバーに回動可能に組み付けられる回動操作部材と、前記回動操作部材の回動によって前記外装カバーに対する位置が変化しないボスに嵌め込まれるコイル部、及び前記コイル部から延出して前記回動操作部材に設けられた掛止部に対して前記回動操作部材の回動方向に挟むように掛止される一対の先端部を有し、前記回動操作部材を回動位置から初期位置へ戻すための力を発生させるトーションばねと、前記トーションばねの前記一対の先端部に挟まれる位置に配置され、前記回動操作部材を初期位置に位置決めする位置決め部と、前記位置決め部により前記回動操作部材が初期位置に位置決めされた際に、前記トーションばねの前記一対の先端部に挟み込まれて弾性変形する弾性部材と、を備え、前記トーションばねは、前記一対の先端部の間の幅を広げることで前記コイル部の径が大きくなるばねであり、前記弾性部材は、前記位置決め部よりも前記コイル部に近い位置に配置され、前記回動操作部材が回動位置にあるときに前記トーションばねの前記一対の先端部のいずれか一方と当接していることを特徴とする。
【発明の効果】
【００１４】
本発明によれば、回動操作部材が回動位置から初期位置に戻る際に、トーションばねの先端部が勢いを弱めてから位置決めリブに当接するため、回動操作部材の回動操作によって発生する衝突音や振動音を軽減することができる。
【図面の簡単な説明】
【００１５】
【図１】本発明に係る電子機器の実施形態の一例であるデジタルカメラを背面側から見た斜視図である。
【図２】トップカバーユニットの分解斜視図である。
【図３】フレキシブルプリント基板と接点ブラシの接点との関係を示す斜視図である。
【図４】ズームレバーの回動操作によるズーム信号の出力例を説明するための図である。
【図５】トップカバーユニットのズームレバー近傍の内部構造を示す斜視図である。
【図６】ズームレバーを回動操作した際のトーションばねの動作を説明するための図である。
【図７】２段ズームスプリングプレート近傍の内部構造を示す斜視図である。
【図８】レバーホルダのリブによる２段ズームスプリングプレート６０のばね部の押し込み動作について説明するための図である。
【図９】従来のズームレバーを説明するための斜視図である。
【図１０】ズームレバー等の取付部の構造を示す斜視図である。
【図１１】（ａ）はズームレバーが初期位置あるときの状態を示す図、（ｂ）はズームレバーが回動位置にあるときの状態を示す図である。
【発明を実施するための形態】
【００１６】
以下、本発明の実施形態の一例を図面を参照して説明する。
【００１７】
図１は、本発明に係る電子機器の実施形態の一例であるデジタルカメラを背面側から見た斜視図である。
【００１８】
図１に示すように、本実施形態のデジタルカメラは、カメラ本体１の背面部に、液晶ディスプレイ等を有する表示ユニット２が２軸ヒンジ部２ａを介して開閉方向に回動可能に支持されるとともに、開状態でカメラ本体１に対して回転可能に支持されている。カメラ本体１の背面側から見て、表示ユニット２の右側には、操作ボタン群３ａ〜３ｆが配置され、上面部中央には、ポップアップ式の内蔵ストロボ８が配置されている。
【００１９】
また、カメラ本体１の背面側から見て、上面部右側の外装は、トップカバー２０とされ、トップカバー２０には、モードダイアル４、レリーズボタン５、ズームレバー６、及び電源ボタン７が配置されてトップカバーユニット３０を形成している。ズームレバー６は、高速および低速のそれぞれを２段階の速度でズームすることが可能な２段ズームレバーとされている。トップカバー２０は、本発明の外装カバーの一例に相当し、ズームレバー６は、本発明の回動操作部材の一例に相当する。
【００２０】
図２は、トップカバーユニット３０の分解斜視図である。なお、図２では、トップカバー２０に、モードダイアル４および電源ボタン７が組み付けられている。
【００２１】
まず、トップカバー２０の外側から組み付ける部品について説明する。レリーズボタン５の外面部には、ステンレス鋼等の金属製のキャップ５１が接着等により固定されている。レリーズボタン５の内面側には、コイルばね５２が配置されている。
【００２２】
コイルばね５２は、レリーズボタン５側の端部がレリーズボタン５の孔を通してキャップ５１に接触するように組み付けられ、ズームレバー６側の端部がズームレバー６に掛止された状態で組み付けられる。ズームレバー６は、導電性部材で形成され、トップカバー２０に回動可能に組み付けられて、コイルばね５２を介してキャップ５１に電気的に導通する。
【００２３】
次に、トップカバー２０の内側から組み付ける部品について説明する。トップカバー２０に設けられたボス２０ａと位置決めリブ２０ｂとの間には、弾性部材５３が両面テープ等を介して固定される。位置決めリブ２０ｂは、本発明の位置決め部の一例に相当する。また、トップカバー２０のボス２０ａには、トーションばね５４のコイル部５４ａが嵌め込まれる。
【００２４】
このとき、トーションばね５４のコイル部５４ａから延出する一対の先端部５４ｂ，５４ｃは、弾性部材５３の両側面を挟み込んで弾性変形させた状態でズームレバー６のＴ字引っ掛けリブ６ａに対してズームレバー６の回動方向に挟むように掛止される。Ｔ字引っ掛けリブ６ａは、本発明の掛止部の一例に相当する。ばねホルダ５５は、トーションばね５４に接触した状態でビス１０１によりトップカバー２０に固定される。ここで、本実施形態では、トーションばね５４として、チャージすることでコイル部５４ａの径が大きくなる巻き開くばねを用いている。
【００２５】
接点ブラシ５７は、樹脂製のレバーホルダ５６に組み付けられ、位置決めピン５６ｂ，５６ｃを熱カシメすることによって固定される。レバーホルダ５６は、ズームレバー６に位置決めされた状態でビス１０２ａ，１０２ｂにより固定される。
【００２６】
フレキシブルプリント基板５８には、接点ブラシ５７と接触させる為のパターンが配置され、また、電源ボタン７やレリーズボタン５の信号を送る為のスイッチ（不図示）も実装されている。フレキシブルプリント基板５８は、基板ホルダ５９に位置決めされた状態で組み付けられる。
【００２７】
基板ホルダ５９は、トップカバー２０に位置決めされた状態でビス１０３ａ〜１０３ｄにより固定される。このとき、ビス１０３ｃは、基板ホルダ５９、フレキシブルプリント基板５８、ばねホルダ５５、及びトップカバー２０を共締めし、これにより、ばねホルダ５５をフレキシブルプリント基板５８のグランドパターンに接地させることができる。すなわち、ズームレバー６やレリーズボタン５付近の静電気を、フレキシブルプリント基板５８のグランドパターンを通じて、不図示のメイン回路のグランドパターンに逃がすことが可能となる。
【００２８】
２段ズームスプリングプレート６０は、基板ホルダ５９に位置決めされた状態でビス１０４ａ，１０４ｂにより固定され、これにより、トップカバーユニット３０の組付が完了する。このとき、レバーホルダ５６のリブ５６ａは、基板ホルダ５９の開口孔５９ａを通って基板ホルダ５９から突出しており、ズームレバー６が回動操作されると、２段ズームスプリングプレート６０のばね部６０ａ，６０ｂを押し込むことが可能となる。
【００２９】
図３は、フレキシブルプリント基板５８と接点ブラシ５７の接点との関係を示す斜視図である。図３に示すように、接点ブラシ５７の先端には、２本の接触子からなる接点が一対設けられており、フレキシブルプリント基板５８のパターン５８ａとパターン５８ｂ〜５８ｅをショートさせることによってズーム信号を出力する。
【００３０】
図４は、ズームレバー６の回動操作によるズーム信号の出力例を説明するための図である。図４（ａ）は、フレキシブルプリント基板５８のみを示す図である。図４（ｂ）は、接点ブラシ５７が初期位置にある状態を示す図である。図４（ｂ）では、接点ブラシ５７の一対の接点のうち一方の接点は、パターン５８ａと接触し、他方の接点は、パターン５８ｂとパターン５８ｄの間に位置しているので、ショートしておらず、ズーム信号は出力されない。
【００３１】
図４（ｃ）は、ズームレバー６をカメラ本体１の上面側から見て時計回りに回動操作した１段目のズーム速度ＣＷ１の状態を示す図である。なお、以下では、時計回り及び反時計回りはカメラ本体１の上面側から見た回転方向を示すものとする。図４（ｃ）では、接点ブラシ５７の一方の接点は、パターン５８ａと接触し、他方の接点は、パターン５８ｂと接触しており、この場合、低速ズームでズームインする信号を出力する。
【００３２】
図４（ｄ）は、ズームレバー６をさらに時計回りに回動操作した２段目のズーム速度ＣＷ２の状態を示す図である。図４（ｄ）では、接点ブラシ５７の一方の接点は、パターン５８ａと接触し、他方の接点は、パターン５８ｃと接触しており、この場合、高速ズームでズームインする信号を出力する。
【００３３】
図４（ｅ）は、ズームレバー６を反時計回りに回動操作した１段目のズーム速度ＣＣＷ１の状態を示す図である。図４（ｅ）では、接点ブラシ５７の一方の接点は、パターン５８ａと接触し、他方の接点は、パターン５８ｄと接触しており、この場合、低速ズームでズームアウトする信号を出力する。
【００３４】
図４（ｆ）は、ズームレバー６をさらに反時計回りに回動操作した２段目のズーム速度ＣＣＷ２の状態を示す図である。図４（ｆ）では、接点ブラシ５７の一方の接点は、パターン５８ａと接触し、他方の接点は、パターン５８ｅと接触しており、この場合、高速ズームでズームアウトする信号を出力する。
【００３５】
次に、図５及び図６を参照して、ズームレバー６とトーションばね５４との関係について説明する。
【００３６】
図５は、トップカバーユニット３０のズームレバー６近傍の内部構造を示す斜視図であり、必要な部分のみ図示してある。図５では、ズームレバー６は、初期位置の状態にあり、トーションばね５４の先端部５４ｂ，５４ｃは、弾性部材５３の両側面を挟み込んで弾性変形させた状態でズームレバー６のＴ字引っ掛けリブ６ａに引っ掛けられて、電気的に導通している。このように、レバーホルダ５６を介さずに、ズームレバー６とトーションばね５４とを電気的に導通させることにより、インピーダンスを低くすることができるとともに、レバーホルダ５６を非導電性の樹脂部材等で形成することが可能となる。
【００３７】
また、トーションばね５４の先端部５４ｂ，５４ｃは、トップカバー２０の位置決めリブ２０ｂによりズームレバー６を初期位置に保持している。この場合も、レバーホルダ５６を介さずに、トーションばね５４の先端部５４ｂ，５４ｃがズームレバー６のＴ字引っ掛けリブ６ａに直接引っ掛けられているため、初期位置の精度も向上する。
【００３８】
図６は、ズームレバー６を回動操作した際のトーションばね５４の動作を説明するための図である。なお、図６は、図２に示した分解斜視図からわかるようにカメラ本体１の底面側から見た図であって、図に示す向きから見ると、ズームレバー６を時計回りに回動操作するとズームレバー６のＴ字引っ掛けリブ６ａは反時計回りに回転することになる。しかしながら、図４における回動操作の方向と整合させるために、図６においても、カメラ本体１の上面側から見た回動方向で説明を行う。
【００３９】
図６（ａ）は、ズームレバー６が初期位置にある状態を示す図であり、図６（ｂ）は、ズームレバー６を時計回りに回動操作した１段目のズーム速度ＣＷ１の状態を示す図である。図６（ｂ）では、ズームレバー６のＴ字引っ掛けリブ６ａによって、トーションばね５４の先端部５４ｂがズームレバー６の回動方向に引っ張られて開かれる。
【００４０】
図６（ｃ）は、ズームレバー６をさらに時計回りに回動操作した２段目のズーム速度ＣＷ２の状態を示す図である。図６（ｃ）では、ズームレバー６のＴ字引っ掛けリブ６ａによって、トーションばね５４の先端部５４ｂがさらに開かれ、トーションばね５４の先端部５４ｂにより押圧されて変形していた弾性部材５３は元の形状に戻る。このとき、ズームレバー６から指を離しても、弾性部材５３がある為、トーションばね５４の先端部５４ｂは、弾性部材５３に先に衝突して勢いを弱めてから位置決めリブ２０ｂに当接する。これにより、トーションばね５４の先端部５４ｂの衝突音やコイル部５４ａの振動音が軽減される。
【００４１】
なお、図６（ｄ）に示すズームレバー６を反時計回りに回動操作した１段目のズーム速度ＣＣＷ１の状態、及び図６（ｅ）に示すズームレバー６をさらに反時計回りに回動操作した２段目のズーム速度ＣＣＷ２の状態の場合も上記同様であるため、説明を省略する。
【００４２】
図７及び図８を参照して、レバーホルダ５６のリブ５６ａによる２段ズームスプリングプレート６０のばね部６０ａ，６０ｂの押し込み動作について説明する。
【００４３】
図７は、２段ズームスプリングプレート６０近傍の内部構造を示す斜視図である。上述したように、ズームレバー６を回動操作すると、レバーホルダ５６のリブ５６ａも一体に回動して、２段ズームスプリングプレート６０のばね部６０ａ，６０ｂを押し込むことができる。
【００４４】
図８（ａ）は、ズームレバー６が初期位置にある状態を示す図であり、図８（ｂ）は、ズームレバー６を時計回りに回動操作した１段目のズーム速度ＣＷ１の状態を示す図である。なお、図８も図６と同様の向きから見た図であるが、図４における回動操作の方向と整合させるために、図８においても、カメラ本体１の上面側から見た回動方向で説明を行う。図８（ｂ）では、レバーホルダ５６のリブ５６ａが２段ズームスプリングプレート６０のばね部６０ａに当接する直前の位置に達している。
【００４５】
図８（ｃ）は、ズームレバー６をさらに時計回りに回動操作した２段目のズーム速度ＣＷ２の状態を示す図である。図８（ｃ）では、レバーホルダ５６のリブ５６ａが２段ズームスプリングプレート６０のばね部６０ａを押し込んだ状態となる。このとき、トーションばね５４の回動トルクに２段ズームスプリングプレート６０のばね部６０ａの荷重が加わり、回動トルクが上がるとともに、ズーム速度も高速へと変化する。
【００４６】
図８（ｄ）は、ズームレバー６を反時計回りに回動操作した１段目のズーム速度ＣＣＷ１の状態を示す図である。図８（ｄ）では、レバーホルダ５６のリブ５６ａが２段ズームスプリングプレート６０のばね部６０ｂに接触する直前の位置に達している。
【００４７】
図８（ｅ）は、ズームレバー６をさらに反時計回りに回動操作した２段目のズーム速度ＣＣＷ２の状態を示す図である。図８（ｅ）では、レバーホルダ５６のリブ５６ａが２段ズームスプリングプレート６０のばね部６０ｂを押し込んだ状態となる。このとき、トーションばね５４の回動トルクに２段ズームスプリングプレート６０のばね部６０ｂの荷重が加わり、回動トルクが上がるとともに、ズーム速度も高速へと変化する。
【００４８】
このように、ユーザがズームレバー６を回動操作する際、体感的にズームの回転トルクが変化する為、低速ズームと高速ズームの切り替えタイミングが分かりやすくなる。ここで、レバーホルダ５６を樹脂部材で形成することにより、金属製の２段ズームスプリングプレート６０のばね部６０ａ，６０ｂとの衝突音を金属同士の衝突音と比較して軽減することが可能となる。
【００４９】
以上説明したように、本実施形態では、ズームレバー６が回動位置から初期位置に戻る際に、トーションばね５４の先端部５４ｂ，５４ｃが弾性部材５３に先に衝突して勢いを弱めてから位置決めリブ２０ｂに当接する。また、トーションばね５４の先端部５４ｂ，５４ｃが位置決めリブ２０ｂに当接した状態では、弾性部材５３を弾性的に押圧して変形させるため、コイル部５４ａが振動しにくくなる。これにより、ズームレバー６の回動操作によって発生するトーションばね５４の先端部５４ｂ，５４ｃと位置決めリブ２０ｂとの衝突音やコイル部５４ａの振動音を軽減することができる。
【００５０】
このとき、弾性部材５３をボス２０ａと位置決めリブ２０ｂとの間に配置することで、コイル部５４ａの振動音をより軽減することができる。
【００５１】
また、本実施形態では、トーションばね５４として、チャージすることでコイル部５４ａの径が大きくなる巻き開くばねを用いている。このため、コイル部５４ａとトップカバー２０のボス２０ａとのすき間を小さくすることが可能となり、コイル部５４ａの振動音をより軽減することが可能となる。
【００５２】
なお、本発明の構成は、上記実施形態に例示したものに限定されるものではなく、材質、形状、寸法、形態、数、配置箇所等は、本発明の要旨を逸脱しない範囲において適宜変更可能である。
【００５３】
例えば、上記実施形態では、２段ズームレバーを例示したが、１段ズームレバーに適用してもよい。
【００５４】
また、上記実施形態では、デジタルカメラのズームレバーに適用した場合を説明したが、その他の機能の操作に用いる、中立位置から予め決められた回転角度の間で回動操作が可能な回動操作部材に適用しても構わない。例えば、記録媒体に記録された複数の画像のうちの１つを画像表示部に表示させる再生モードにおいて、表示させる画像を次の画像に変更する画像送り操作に用いる回動操作部材に適用しても構わない。
【００５５】
また、上述した画像送り操作のような、撮像装置以外の電子機器でも実行可能な機能の操作に用いる回動操作部材にも適用可能である。このため、中立位置から予め決められた回転角度の間で回動操作が可能な回動操作部材を有する電子機器であれば本発明を適用することができる。
【符号の説明】
【００５６】
６  ズームレバー
２０ａ  ボス
２０ｂ  位置決めリブ
５３  弾性部材
５４  トーションばね
５４ａ  コイル部
５４ｂ，５４ｃ  一対の先端部
５６  レバーホルダ
【図１】
0005683177.tif 000002
【図２】
0005683177.tif 000003
【図３】
0005683177.tif 000004
【図４】
0005683177.tif 000005
【図５】
0005683177.tif 000006
【図６】
0005683177.tif 000007
【図７】
0005683177.tif 000008
【図８】
0005683177.tif 000009
【図９】
0005683177.tif 000010
【図１０】
0005683177.tif 000011
【図１１】
0005683177.tif 000012